(57)【要約】【課題】中空板材によって電線の保護部材を形成する際において、中空板材同士なるべく低コストで連結できるようにすることを目的とする。【解決手段】電線モジュール１０は、少なくとも１本の電線１４と、複数の板状部分の間に中空構造が形成された中空板材５０が、少なくとも１本の電線１４を収容可能な収容形状に曲げられて構成された保護部材２０とを備える。保護部材２０が、収容形状をなした状態で、重ね合される第１重ね合せ部分（例えば、第１蓋部２６）及び第２重ね合せ部分（例えば、第１蓋部２８）を含み、第１重ね合せ部分のうち第２重ね合せ部分側の部分に第１スリットが形成されると共に、第２重ね合せ部分のうち第１重ね合せ部分側の部分に第２スリットが形成され、第１重ね合せ部と第２重ね合せ部とがスリットを介して相互に中空構造内に入り込んだ状態で、重ね合されている。【選択図】図１
2015180167.tif 000002
【特許請求の範囲】
【請求項１】
少なくとも１本の電線と、
複数の板状部分の間に中空構造が形成された中空板材が、前記少なくとも１本の電線を収容可能な収容形状に曲げられて構成された保護部材と、
を備え、
前記保護部材が、前記収容形状をなした状態で、重ね合される第１重ね合せ部分及び第２重ね合せ部分を含み、
前記第１重ね合せ部分のうち前記第２重ね合せ部分側の部分に第１スリットが形成されると共に、前記第２重ね合せ部分のうち前記第１重ね合せ部分側の部分に第２スリットが形成され、前記第１重ね合せ部が前記第２スリットを介して部分的に前記第２重ね合せ部の中空構造内に入り込むと共に、前記第２重ね合せ部が前記第１スリットを介して部分的に前記第１重ね合せ部内に入り込んだ状態で、前記第１重ね合せ部と前記第２重ね合せ部とが重ね合されている、電線モジュール。
【請求項２】
請求項１に記載の電線モジュールであって、
前記中空板材は、複数の板状部分と、前記複数の板状部分の間に並列状に介在する複数の介在部分とを含み、
前記第１重ね合せ部分では、前記第１スリットが、前記複数の板状部分のうち前記第２重ね合せ部分側の板状部分に対して前記複数の介在部分の間に形成され、
前記第２重ね合せ部分では、前記第２スリットが、前記複数の板状部分のうち前記第１重ね合せ部分側の板状部分に対して前記複数の介在部分の間に形成されている、電線モジュール。
【請求項３】
請求項１又は請求項２に記載の電線モジュールであって、
前記保護部材は、前記中空板材が、底部と、前記底部の両側部に立設された一対の側壁部と、前記一対の側壁部の一方から他方に向けて延出する第１蓋部と、前記一対の側壁部の他方から一方に向けて延出しする第２蓋部とを含む形状となるように折曲げて形成されており、
前記第１蓋部が前記第１重ね合せ部分を含み、前記第２蓋部が前記第１重ね合せ部分と重なり合う前記第２重ね合せ部分を含む、電線モジュール。
【請求項４】
請求項３記載の電線モジュールであって、
前記第１蓋部及び前記第２蓋部は、前記一対の側壁部の間で、それぞれの全体で重なり合う、電線モジュール。
【請求項５】
少なくとも１本の電線を収容可能な保護部材であって、
複数の板状部分の間に中空構造が形成された中空板材が、前記少なくとも１本の電線を収容可能な収容形状に曲げられて構成され、
前記保護部材が、前記収容形状に曲げられた状態で、重ね合される第１重ね合せ部分及び第２重ね合せ部分を含み、
前記第１重ね合せ部分のうち前記第２重ね合せ部分側の部分に第１スリットが形成されると共に、前記第２重ね合せ部分のうち前記第１重ね合せ部分側の部分に第２スリットが形成され、
前記第１重ね合せ部を、前記第２スリットを介して部分的に前記第２重ね合せ部の中空構造内に入り込ませると共に、前記第２重ね合せ部を、前記第１スリットを介して部分的に前記第１重ね合せ部内に入り込ませた状態で、前記第１重ね合せ部と前記第２重ね合せ部とを重ね合せ可能な、保護部材。
【発明の詳細な説明】
【技術分野】
【０００１】
本発明は、電線を保護する技術に関する。
【背景技術】
【０００２】
車両等におけるワイヤーハーネスには、当該ワイヤーハーネスに含まれる電線を、その周辺部材から保護するための保護部材が取付けられることがある。
【０００３】
保護部材としては、樹脂の金型成形品である成形プロテクタ又はコルゲートチューブ等が用いられる。特許文献１は、成形プロテクタを開示しており、特許文献２はコルゲートチューブを開示している。
【先行技術文献】
【特許文献】
【０００４】
【特許文献１】特開平０８−１５４３２４号公報
【特許文献２】特開２０１４−７８５０号公報
【発明の概要】
【発明が解決しようとする課題】
【０００５】
しかしながら、成形プロテクタは、樹脂の金型成形品であるため、各種ワイヤーハーネスの経路毎に別々の金型を起工して、成形プロテクタを金型成形する必要がある。このため、製造コストが高くなる傾向にある。
【０００６】
また、コルゲートチューブは、曲げ容易であるため、ワイヤーハーネスを経路規制する用途には不向きである。
【０００７】
そこで、中空板材を、ワイヤーハーネスを収容可能な筒形状に折曲げて保護部材とする技術が提案されている。
【０００８】
しかしながら、例えば、中空板材を筒形状に保つためには、その両側部同士を連結状態に維持する何らかの構成が必要となる。例えば、中空板材の両側部同士を、接着剤又は溶着によって接合する構成では、加工コスト高となるという問題がある。
【０００９】
そこで、本発明は、中空板材によって電線の保護部材を形成する際において、中空板材同士なるべく低コストで連結できるようにすることを目的とする。
【課題を解決するための手段】
【００１０】
上記課題を解決するため、第１の態様は、少なくとも１本の電線と、複数の板状部分の間に中空構造が形成された中空板材が、前記少なくとも１本の電線を収容可能な収容形状に曲げられて構成された保護部材と、を備え、前記保護部材が、前記収容形状をなした状態で、重ね合される第１重ね合せ部分及び第２重ね合せ部分を含み、前記第１重ね合せ部分のうち前記第２重ね合せ部分側の部分に第１スリットが形成されると共に、前記第２重ね合せ部分のうち前記第１重ね合せ部分側の部分に第２スリットが形成され、前記第１重ね合せ部が前記第２スリットを介して部分的に前記第２重ね合せ部の中空構造内に入り込むと共に、前記第２重ね合せ部が前記第１スリットを介して部分的に前記第１重ね合せ部内に入り込んだ状態で、前記第１重ね合せ部と前記第２重ね合せ部とが重ね合されているものである。
【００１１】
第２の態様は、第１の態様に係る電線モジュールであって、前記中空板材は、複数の板状部分と、前記複数の板状部分の間に並列状に介在する複数の介在部分とを含み、前記第１重ね合せ部分では、前記第１スリットが、前記複数の板状部分のうち前記第２重ね合せ部分側の板状部分に対して前記複数の介在部分の間に形成され、前記第２重ね合せ部分では、前記第２スリットが、前記複数の板状部分のうち前記第１重ね合せ部分側の板状部分に対して前記複数の介在部分の間に形成されているものである。
【００１２】
第３の態様は、第１又は第２の態様に係る電線モジュールであって、前記保護部材は、前記中空板材が、底部と、前記底部の両側部に立設された一対の側壁部と、前記一対の側壁部の一方から他方に向けて延出する第１蓋部と、前記一対の側壁部の他方から一方に向けて延出しする第２蓋部とを含む形状となるように折曲げて形成されており、前記第１蓋部が前記第１重ね合せ部分を含み、前記第２蓋部が前記第１重ね合せ部分と重なり合う前記第２重ね合せ部分を含むものである。
【００１３】
第４の態様は、第３の態様に係る電線モジュールであって、前記第１蓋部及び前記第２蓋部は、前記一対の側壁部の間で、それぞれの全体で重なり合うものである。
【００１４】
第５の態様は、少なくとも１本の電線を収容可能な保護部材であって、複数の板状部分の間に中空構造が形成された中空板材が、前記少なくとも１本の電線を収容可能な収容形状に曲げられて構成され、前記保護部材が、前記収容形状に曲げられた状態で、重ね合される第１重ね合せ部分及び第２重ね合せ部分を含み、前記第１重ね合せ部分のうち前記第２重ね合せ部分側の部分に第１スリットが形成されると共に、前記第２重ね合せ部分のうち前記第１重ね合せ部分側の部分に第２スリットが形成され、前記第１重ね合せ部を、前記第２スリットを介して部分的に前記第２重ね合せ部の中空構造内に入り込ませると共に、前記第２重ね合せ部を、前記第１スリットを介して部分的に前記第１重ね合せ部内に入り込ませた状態で、前記第１重ね合せ部と前記第２重ね合せ部とを重ね合せ可能とされている。
【発明の効果】
【００１５】
第１〜第５の態様によると、中空板材の第１重ね合せ部分に第１スリットを形成し、第２重ね合せ部分に第２スリットを形成し、第１重ね合せ部分及び第２重ね合せ部分を、第１スリット及び第２スリットを介して、互いの中空構造内に入り込ませることで、第１重ね合せ部と第２重ね合せ部とを重ね合せることができ、中空板材によって電線の保護部材を形成する際において、中空板材の部分同士をなるべく低コストで連結できる。
【００１６】
第２の態様によると、第１重ね合せ部分のうち第１スリットによって分断された部分が、第２スリットを介して第２重ね合せ部分のうち複数の介在部分間に入り込み、第２重ね合せ部分のうち第２スリットによって分断された部分が、第１スリットを介して第１重ね合せ部分のうち複数の介在部分間に入り込む。これにより、第１重ね合せ部分と第２重ね合せ部分とを重ね合せ状態をより確実に維持できる。
【００１７】
第３の態様によると、第１蓋部の第１重ね合せ部分と第２蓋部の第１重ね合せ部分との重なり合い構造によって、中空板材が電線を収容可能な形状を維持することができる。
【００１８】
第４の態様によると、前記第１蓋部及び前記第２蓋部は、前記一対の側壁部の間全体で重なり合うため、その部分で保護性能を高めることができる。
【図面の簡単な説明】
【００１９】
【図１】実施形態に係る電線モジュールを示す概略斜視図である。
【図２】電線モジュールの完成前の状態を示す概略斜視図である。
【図３】図１において中空板材の重ね合せ部分を示す概略正面図である。
【図４】図２において中空板材の重ね合わせ部分を示す概略正面図である。
【図５】保護部材を構成する中空板材の一例を示す概略斜視図である。
【発明を実施するための形態】
【００２０】
以下、実施形態に係る電線モジュール及び保護部材について説明する。
【００２１】
図１は電線モジュール１０を示す概略斜視図であり、図２は電線モジュール１０の完成前の状態を示す概略斜視図である。図３は図１の部分正面図であり、図４は図２の部分正面図である。図５は保護部材を構成する中空板材５０の一例を示す概略斜視図である。
【００２２】
電線モジュール１０は、少なくとも１本の電線１４と、保護部材２０とを備える。
【００２３】
電線１４は、導線の周囲に絶縁被覆等が押出成形等された構成されている。ここでは、電線モジュール１０は、複数の電線１４が束ねられた電線束１２を備えている。電線束１２は、本保護部材２０の延在方向中間部又は外部で分岐していてもよい。
【００２４】
保護部材２０は、次に説明するように、複数の板状部分５２の間に中空構造が形成された中空板材５０が、前記少なくとも１本の電線１４を収容可能な収容形状に曲げられることによって構成されている。
【００２５】
ここで、図５を参照して、中空板材５０の例について説明しておく。
【００２６】
中空板材５０は、複数（ここでは２つ）の板状部分５２と、複数の板状部分５２の間に挟み込まれた介在部分５４とを備える。ここでは、中空板材５０は、複数の板状部分５２の間に並列状に介在する複数の介在部分５４を備える。
【００２７】
板状部分５２は、平板状に形成されている。複数の板状部分５２が介在部分５４を介して間隔をあけた状態で連結されている。
【００２８】
複数の介在部分５４は、２つの板状部分５２の間で、間隔をあけて並列状態に配設されている。各介在部分５４は、細長板状に形成されており、２つの板状部分５２に対して垂直姿勢で配設されている。そして、各介在部分５４の一側部が１つの板状部分５２に連結され、その他側部が他の１つの板状部分５２に連結されている。これにより、２つの板状部分５２と複数の介在部分５４とが、介在部分５４の延在方向に対して直交する面においてはしご状断面を呈するように一体的に連結される。
【００２９】
なお、複数の板状部分５２及び介在部分５４を形成する材質は特に限定されない。複数の板状部分５２及び介在部分５４は、紙によって形成されていてもよいし、樹脂によって形成されていてもよいし、また、これらの組み合わせによって構成されていてもよい。複数の板状部分５２及び介在部分５４の少なくとも１つを紙によって形成する場合には、その表面に撥水処理等を施すことが好ましい。
【００３０】
なお、本中空板材５０を樹脂によって成形する場合には、例えば、前記はしご状断面に応じた押出孔から樹脂を押出す押出成型装置によって、連続的に中空板材５０を製造することができ、これにより、中空板材５０を容易に低コストで製造することができる。介在部分５４は、接着剤又は溶着等によって板状部分５２に連結されていてもよい。
【００３１】
このような中空板材５０によると、複数の板状部分５２が間隔をあけて、介在部分５４によって連結されているため、曲り難い。また、板状部分５２間に介在部分５４が介在しているため、当該介在部分５４によっても中空板材５０が曲り難くかつ凹み難いように補強される。特に、本例では、介在部分５４の延在方向において、中空板材５０が曲り難いようにすることができる。
【００３２】
従って、本中空板材５０によって、保護部材２０を製造することで、電線１４を十分に保護でき、かつ、十分に経路規制することもできる。また、中空板材５０の複数の板状部分５２の間には中空構造が形成されているため、その分、軽量化及び材料費の低減を図ることもできる。
【００３３】
なお、上述した中空板材５０の少なくとも一部に、金属箔（アルミ箔）等の電磁シールド部材が設けられていてもよい。
【００３４】
また、各中空板材が３枚以上の板状部分を含む場合には、各間に介在部分が設けられていることが好ましい。これにより、中空板材の強度をより向上させることができる。
【００３５】
上記中空板材５０を曲げることによって、保護部材２０が形成されている。
【００３６】
ここでは、保護部材２０は、底部２２と、一対の側壁部２４と、第１蓋部２６と、第２蓋部２８とを備える。
【００３７】
底部２２は、細長板状部分に形成されている。一対の側壁部２４は、細長板状に形成されており、底部２２の両側部から底部２２の一主面側に突出するように立設されている。そして、底部２２と一対の側壁部２４とで囲まれる空間内に、上記電線束１２が収容される。
【００３８】
第１蓋部２６及び第２蓋部２８は、細長板状に形成されている。第１蓋部２６は、一方の側壁部２４から他方の側壁部２４に向けて延出するように形成されている。第２蓋部２８は、他方の側壁部２４から一方の側壁部２４に向けて延出するように形成されている。
【００３９】
すなわち、保護部材２０を形成する前の中空板材５０は、方形状に形成されており、その中空板材５０が、間隔をあけて並列する複数の直線状の折目で折曲げられることで、上記底部２２と一対側壁部と第１蓋部２６及び第２蓋部２８とを含む上記形状に形成される。
【００４０】
なお、保護部材２０は、完成形態では、四角筒形状をなしている。ここでは、保護部材２０は、直線状に延在しているが、その途中で曲っていてもよい。保護部材を曲げる構成としては、例えば、その延在方向中間部に蛇腹構造を作り込む構成、或は、保護部材の延在方向中間部を、その外周周りの一部を除いて切除して曲げる構成等を採用することができる。また、保護部材の延在方向中間部に、内部の電線束の一部を分岐させて外方に導くための開口が形成されていてもよい。
【００４１】
また、ここでは、第１蓋部２６及び第２蓋部２８は、底部２２と同幅の細長板状に形成されており、それぞれ一対の側壁部２４の先端部の間の開口をその幅方向全体に亘って閉塞可能な形状に形成されている。そして、第１蓋部２６及び第２蓋部２８は、一対の側壁部２４の先端部の間で、それぞれの全体の間で重なり合うように構成されている。ここでは、第１蓋部２６が一対の側壁部２４の先端部の間全体に亘って配設され、第２蓋部２８が当該第１蓋部２６の外側全体に被さるように当該第１蓋部２６に重ね合される。
【００４２】
また、本保護部材２０は、上記収容形状に曲げられた状態で、重ね合される第１重ね合せ部分及び第２重ね合せ部分を含む。本実施形態では、第１蓋部２６が第１重ね合せ部分を含み、第２蓋部２８が第２重ね合せ部分を含む。より具体的には、本実施形態では、第１蓋部２６の全体が第１重ね合せ部分であり、第２蓋部２８の全体が第２重ね合せ部分である。
【００４３】
第１蓋部２６のうち第２蓋部２８側の部分、即ち、外側の板状部分５２に第１スリット２６Ｓが形成されている。ここでは、外側の板状部分５２のうち複数の介在部分５４の間、より具体的には、複数の介在部分５４の中央位置に、当該介在部分５４の延在方向に沿って複数の第１スリット２６Ｓが形成されている。ここでは、第１蓋部２６の幅方向全体において、各介在部分５４間に第１スリット２６Ｓが形成されている。
【００４４】
第１蓋部２６では、複数の介在部分５４は、内側の板状部分５２を介して並列状態に維持されている。また、複数の介在部分５４の外側部分には、外側の板状部分５２が第１スリット２６Ｓによって分断されることによって形成された細長板状片５２ｐが残存した状態となり、各介在部分５４と細長板状片５２ｐとは、第２蓋部２８側（外側）で幅広となるＴ字状断面形状を呈する。
【００４５】
また、第２蓋部２８のうち第１蓋部２６側の部分、即ち、内側の板状部分５２に第２スリット２８Ｓが形成されている。ここでは、内側の板状部分５２のうち複数の介在部分５４の間、より具体的には、複数の介在部分５４の中央位置に、当該介在部分５４の延在方向に沿って複数の第２スリット２８Ｓが形成されている。ここでは、第２蓋部２８の幅方向全体において、各介在部分５４間に第２スリット２８Ｓが形成されている。
【００４６】
第２蓋部２８では、複数の介在部分５４は、外側の板状部分５２を介して並列状態に維持されている。また、複数の介在部分５４の内側部分には、内側の板状部分５２が第２スリット２８Ｓによって分断されることによって形成された細長板状片５２ｑが残存した状態となる。各介在部分５４と細長板状片５２ｑとは、第１蓋部２６側（内側）で幅広となるＴ字状断面形状を呈する。
【００４７】
なお、上記第１スリット２６Ｓ及び第２スリット２８Ｓは、中空板材５０をその厚み方向途中まで切込むことができる打抜き刃等によって形成することができる。中空板材を打抜く際に、第１スリット２６Ｓ及び第２スリット２８Ｓを一括して形成することが好ましい。
【００４８】
そして、底部２２に対して一対の側壁部２４を折曲げ、さらに、一対の側壁部２４の先端部から第１蓋部２６と第２蓋部２８とを折曲げて、第１蓋部２６と第２蓋部２８とを重ね合せる。この際、第１蓋部２６と第２蓋部２８とを、互いの複数の介在部分５４が交互に配設されるように重ね合される（図４参照）。
【００４９】
この状態で、第１蓋部２６と第２蓋部とを突合わせる方向に力Ｆを加えると、第１蓋部２６の各介在部分５４の細長板状片５２ｐが、第２蓋部２８の内側の板状部分５２のうち第２スリット２８Ｓが形成された部分に押し当てられる。そして、第１蓋部２６の細長板状片５２ｐの両側部が介在部分５４の基端側に弾性変形すると共に、第２蓋部２８の内側の板状部分５２のうち第２スリット２８Ｓの両側部が押広げられるように弾性変形する。これにより、第１蓋部２６の各介在部分５４の先端部及び細長板状片５２ｐの部分が、第２蓋部２８の第２スリット２８Ｓを介してその中空構造内に入り込む。
【００５０】
同様に、第２蓋部２８の各介在部分５４の細長板状片５２ｑが、第１蓋部２６の外側の板状部分５２のうち第１スリット２６Ｓが形成された部分に押し当てられる。そして、第２蓋部２８の細長板状片５２ｑの両側部が介在部分５４の基端側に弾性変形すると共に、第１蓋部２６の外側の板状部分５２のうち第１スリット２６Ｓの両側部が押広げられるように弾性変形する。これにより、第２蓋部２８の各介在部分５４の先端部及び細長板状片５２ｑの部分が、第１蓋部２６の第１スリット２６Ｓを介してその中空構造内に入り込む。
【００５１】
この状態では、第１蓋部２６側の介在部分５４と第２蓋部２８側の介在部分５４とが交互に並び、また、それぞれの細長板状片５２ｐ、５２ｑが互いに内面同士が対向し合うように係止、即ち、抜止め方向に係止し合うようになる。これにより、第１蓋部２６と第２蓋部２８とが重ね合された状態に維持される。
【００５２】
底部２２と一対の側壁部２４との間に、上記電線束１２を収容した状態で、上記のように、第１蓋部２６と第２蓋部２８とを重ね合せ状態で維持することで、電線モジュール１０が完成する。
【００５３】
以上のように構成された電線モジュール１０によると、保護部材２０内に電線束１２が収容されているため、電線束１２を外部（例えば、電線束１２の配索経路の周辺にある部材のエッジ部分）から保護することができると共に、電線束１２を所定の配線経路に沿って規制することができる。また、電線束１２を配線経路における経路スペースに応じた形状（ここでは、方形状）に維持することもできる。
【００５４】
特に、保護部材２０は、中空板材を、電線束１２を収容可能な形状に折曲げることによって形成されるため、軽量な構成することができる。また、汎用性のある中空板材を折曲げて適宜電線束１２の収容に適した形状に形成することができるため、低コスト化も可能となる。
【００５５】
また、中空板材５０を、電線１４を収容可能な保護部材の形状に組立てる前の形態、即ち、中空板材５０を所定形状に打抜き、第１スリット２６Ｓ及び第２スリット２８Ｓを形成した形態では、平板状をなしているため、その保管、搬送を省スペースで行えるという利点がある。
【００５６】
また、中空板材５０の第１重ね合せ部分である第１蓋部２６に第１スリット２６Ｓを形成し、第２重ね合せ部分である第２蓋部２８に第２スリット２８Ｓを形成し、これらの第１蓋部２６と第２蓋部２８とを、第１スリット２６Ｓと第２スリット２８Ｓとを介して、互いの中空構造内に入り込ませることで、第１蓋部２６と第２蓋部２８との重ね合せ状態を維持しているため、中空板材５０によって電線１４の保護部材２０を形成する際において、中空板材５０の部分同士をなるべく低コストで連結できる。
【００５７】
特に、中空板材を溶着或は接着剤で接着する場合と比較して、溶着設備が不要であり、或は、接着剤が不要であるという点で、低コスト化が可能となる。
【００５８】
また、例えば、中空板材の一側部に表裏に貫通するスリットを形成し、他側部に前記スリットに貫通差込み可能な爪部を形成するような構成では、爪部が抜けないように、爪部を複雑な形状に切抜く必要があるし、また、その爪部の切抜き箇所を確保するためレイアウト上の制約も大となる。しかしながら、本実施形態では、重なり合い部分の相互にスリットを形成すればよいため、そのレイアウト上の制約を少なくすることができ、また、貫通打抜き形状の簡素化も可能となる。
【００５９】
また、本実施形態では、中空板材５０は、複数の板状部分５２と、複数の板状部分５２の間に並列状に介在する複数の介在部分５４とを含む構成とされ、第１重ね合せ部分である第１蓋部２６では、第１スリット２６Ｓが、第２蓋部２８側の板状部分５２に対して複数の介在部分５４の間に形成され、第２重ね合せ部分である第２蓋部２８では、第２スリット２８Ｓが、第１蓋部２６側の板状部分５２に対して複数の介在部分５４の間に形成されているため、第１蓋部２６のうち第１スリット２６Ｓによって分断された部分である細長板状片５２ｐが、第２スリット２８Ｓを介して第２蓋部２８のうち複数の介在部分５４間に入り込み、第２蓋部２８のうち第２スリット２８Ｓによって分断された部分である細長板状片５２ｑが、第１スリット２６Ｓを介して、第１蓋部２６のうち複数の介在部分５４間に入り込む。これにより、第１蓋部２６と第２蓋部２８との重ね合せ状態をより確実に維持できる。
【００６０】
もっとも、中空板材５０の構成は上記例に限られず、例えば、複数の板状部分がそれらの間に散点状に介在する介在部分によって間隔をあけて維持される構成であってもよい。この場合であっても、中空板材の重ね合せ部分にスリットを形成することによって、当該スリットを介して互いの中空構造内に入り込ませることができる。
【００６１】
また、ここでは、第１重ね合せ部分が第１蓋部２６であり、第２重ね合せ部分が第２蓋部２８とされているため、第１蓋部２６と第２蓋部２８とを重ね合せることによって、中空板材５０を、角筒状をなして閉じた状態、即ち、中空板材５０が電線１４を収容可能な形状を維持することができる。
【００６２】
また、第１蓋部２６と第２蓋部２８とが全体的に重なり合っているため、その部分で保護性能を高めることができる。このため、本電線モジュール１０を組立てた後、車両に設置する際には、第１蓋部２６と第２蓋部２８との重なり合い部分を底側、即ち、車両への取付部品（例えば、フロア等）に接触するように組付けるとよい。これにより、保護部材２０と車両における相手側部品との干渉による耐摩耗性を向上させることができる。
【００６３】
なお、第１蓋部と第２蓋部とが全体的に重なっていることは必須ではない。例えば、第１蓋部が一対の側壁部間全体に亘って延在し、第２蓋部が一対の側壁部間の途中に至る程度に延在していてもよい。この場合には、第１蓋部のうち第２蓋部が重なり合う場所にのみ、スリットを形成すればよい。
【００６４】
なお、上記した中空板材の重ね合せ状態の維持構造は、第１蓋部と第２蓋部との重ね合せ部分以外にも適用可能である。
【００６５】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６６】
１０  電線モジュール
１２  電線束
１４  電線
２０  保護部材
２２  底部
２４  側壁部
２６  第１蓋部
２６Ｓ  第１スリット
２８  第２蓋部
２８Ｓ  第２スリット
５０  中空板材
５２  板状部分
５２ｐ，５２ｑ  細長板状片
５４  介在部分
【図１】
2015180167.tif 000003
【図２】
2015180167.tif 000004
【図３】
2015180167.tif 000005
【図４】
2015180167.tif 000006
【図５】
2015180167.tif 000007